【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
化学式RO(C2H4O)nH
を有する置換ポリエチレングリコール化合物であって、
RがC1-7炭化水素基を示し、nが600から2000の範囲のC2H4O基の平均モル数を表し、置換ポリエチレングリコール化合物は、１から1.1の範囲で重量平均分子量の分子量平均数に対する比率を有し、置換ポリエチレングリコール化合物の重量平均分子量と分子量平均数はゲル透過クロマトグラフィーにより決定される化合物。
【請求項２】
nが700から1000の範囲にある、請求項１記載の化合物。
【請求項３】
置換ポリエチレングリコール化合物およびポリエチレングリコールを含む混合物であり、該置換ポリエチレングリコール化合物は式
RO(C2H4O)nH
を有し、
ここでRはC1-7炭化水素基を表し、nは600から2000の範囲の添加されたC2H4O基の平均モル数を表し、該置換ポリエチレングリコール化合物は重量平均分子量の分子量平均数の比率がゲル透過クロマトグラフィーにより決定されるように、1から1.1の範囲を有し、ポリエチレングリコール量がポリエチレングリコールと置換ポリエチレングリコール化合物の合計モル数の10モル％未満であり、ポリエチレングリコール量が厳密な条件下での液体クロマトグラフィーにより決定される混合物。
【請求項４】
nが700から1000の範囲にある、請求項３記載の混合物。
【請求項５】
ポリエチレングリコール量がポリエチレングリコールと該置換ポリエチレングリコール化合物の総モル数の5モル％未満である、請求項３又は４記載の混合物。
【請求項６】
式  RO(C2H4O)nY
を有する置換ポリエチレングロコール化合物の調製方法であって、ここでRはC1-7炭化水素基を表し、nは500から2000の範囲のC2H4O基の平均モル数を表し、Yは水素またはアルカリ金属を表し、1から1.1の範囲で重量平均分子量の分子量平均数に対する比率を有する置換ポリエチレングリコール化合物であって、該置換ポリエチレングリコール化合物の重量平均分子量と分子量平均数がゲル透過クロマトグラフィーにより決定され、
（a）ここでRはC1-7炭化水素基、アルコールのアルコキシド、および非プロトン性極性溶媒を表し、反応混合物が約80℃から約140℃の範囲の温度にあり、反応混合物の水分濃度が重量の10ppm未満であり、アルコールに対するアルコールのアルコキシドのモル比が約0.01から約100の範囲にある、式R(OCH2CH2)0-20OHにより表されるアルコールを含む反応混合物を形成する工程；
（b）酸化エチレンがそこで置換ポリエチレングリコール化合物を形成するように反応するように、酸化エチレンと該反応混合物とを接触させる工程
を含む方法。
【請求項７】
該非プロトン性極性溶媒がポリエーテル溶媒である、請求項６記載の方法。
【請求項８】
該ポリエーテル溶媒がビス（2-メトキシエチル）エーテルである、請求項７記載の方法。
【請求項９】
該アルコールがジエチレングリコールモノメチルエーテルである、請求項６、７又は８記載の方法。
【請求項１０】
該反応混合物の温度が約90℃から約110℃の範囲にある、請求項６〜９のいずれか１項記載の方法。
【請求項１１】
工程（ｂ）の終点での該反応混合物中における該置換ポリエチレングリコール化合物の濃度が該反応混合物の約20から80重量％である、請求項６〜９のいずれか１項記載の方法。
【請求項１２】
工程（ｂ）の終点での該反応混合物中における該置換ポリエチレングリコール化合物の濃度が反応混合物の約40から60重量％である、請求項１１記載の方法。
【請求項１３】
工程（ｂ）の終点での該反応混合物がまた、ポリエチレングリコールを含み、ポリエチレングリコールの量がポリエチレングリコールと置換ポリエチレン化合物の合計モル数の10モル％未満のポリエチレングリコール量であり、厳密な条件下での液体クロマトグラフィーによりポリエチレングリコール量が決定される、請求項６〜１２のいずれか１項記載の方法。
【請求項１４】
工程（ｂ）の終点での該反応混合物がまた、ポリエチレングリコールを含み、ポリエチレングリコールの量がポリエチレングリコールと該置換ポリエチレン化合物の合計モル数の5モル％未満のポリエチレングリコール量であり、厳密な条件下での液体クロマトグラフィーにより該ポリエチレングリコール量が決定される、請求項１３記載の方法。
【請求項１５】
工程（ｂ）の終点での該反応混合物がまた、ポリエチレングリコールを含み、ポリエチレングリコールの量がポリエチレングリコールと該置換ポリエチレン化合物の合計モル数の2加1/2モル％未満のポリエチレングリコール量であり、厳密な条件下での液体クロマトグラフィーによりポリエチレングリコール量が決定される、請求項１３記載の方法。
【請求項１６】
工程（ｂ）の後、Yが本質的に水素であるように、該反応混合物に酸を添加する工程をさらに含む、請求項６〜１５のいずれか１項記載の方法。
【請求項１７】
工程（ｂ）の後、該反応混合物を非極性溶媒と混合し、置換ポリエチレングリコール化合物を沈殿させる工程をさらに含む、請求項６〜１５のいずれか１項記載の方法。
【請求項１８】
工程（ｂ）の後、該反応混合物を、非極性溶媒と酸とからなる反応混合物と混合し、Yが本質的に水素である該置換ポリエチレングリコール化合物を沈殿させる工程をさらに含む、請求項６〜１５のいずれか１項の方法。
【請求項１９】
式  RO(C2H4O)nY
を有する置換ポリエチレングリコール化合物の調製方法であって、ここでRはC1-7炭化水素基を表し、nは100から2000の範囲のC2H4O基の平均モル数を表し、Yは水素またはアルカリ金属を表し、1から1.1の範囲で重量平均分子量の分子量平均数に対する比率を有する置換ポリエチレングリコール化合物であって、該置換ポリエチレングリコール化合物の重量平均分子量と分子量平均数がゲル透過クロマトグラフィーにより決定され、
（a）ここでRはC1-7炭化水素基、アルコールのアルコキシド、および非プロトン性極性溶媒を表し、反応混合物が約80℃から約140℃の範囲の温度にあり、反応混合物の水分濃度が重量の10ppm未満であり、アルコールに対するアルコールのアルコキシドのモル比が約0.01から約100の範囲にある、式R(OCH2CH2)0-20OHにより表されるアルコールを含む反応混合物を形成する工程；
（b）酸化エチレンがそこで置換ポリエチレングリコール化合物を形成するように反応するように、酸化エチレンと該反応混合物とを接触させる工程
を含む方法。
【請求項２０】
該ポリエーテル溶媒がビス（２-メトキシエチル）エーテルである、請求項１９記載の方法。
【請求項２１】
該アルコールがジエチレングリコールモノメチルエーテルである、請求項１９又は２０記載の方法。
【請求項２２】
該反応混合物の温度が約90から約110℃の範囲にある、請求項１９〜２１のいずれか１項記載の方法。
【請求項２３】
工程（ｂ）の終点での該反応混合物がまたポリエチレングリコールを含み、ポリエチレングリコールの量がポリエチレングリコールと該置換ポリエチレングリコール化合物の合計モル数の10モル％未満であり、ポリエチレングリコール量が厳密な条件下での液体クロマトグラフーにより決定される、請求項１９〜２２のいずれか１項記載の方法。
【請求項２４】
工程（ｂ）の終点での該反応混合物がまた、ポリエチレングリコールを含み、ポリエチレングリコール量がポリエチレングリコールおよび該置換ポリエチレングリコール化合物の合計モル数の５モル％未満であり、ポリエチレングリコール濃度が厳密な条件下液体クロマトグラフィーにより決定される、請求項２３記載の方法。
【請求項２５】
工程（ｂ）の終点での該反応混合物がまた、ポリエチレングリコールを含み、ポリエチレングリコール量がポリエチレングリコールおよび該置換ポリエチレングリコール化合物の合計モル数の２加1/2モル％未満であり、ポリエチレングリコール濃度が厳密な条件下液体クロマトグラフィーにより決定される、請求項２３記載の方法。
【請求項２６】
工程（ｂ）の後、Yが本質的に水素であるように、該反応混合物に酸を添加する工程をさらに含む、請求項１９〜２５のいずれか１項記載の方法。
【請求項２７】
工程（ｂ）の後、該反応混合物を非極性溶媒と混合し、該置換ポリエチレングリコール化合物を沈殿させる工程をさらに含む、請求項１９〜２６のいずれか１項記載の方法。
【請求項２８】
工程（ｂ）の後、反応混合物を、非極性溶媒と酸とからなる混合物と混合し、Yが本質的に水素である該置換ポリエチレングリコール化合物を沈殿させる工程をさらに含む、請求項１９〜２７のいずれか１項の方法。